(57)【要約】【課題】誤発光しているＯＮＵを特定し、同一ＰＯＮシステムに存在するＯＮＵのリンクを速やかに回復させる。【解決手段】ＯＮＵ２は、ＯＬＴ１からの光信号を検出する光送受信器１３と、ＯＬＴとのリンク状態を検出するＰＯＮ制御回路１４と、ＯＬＴからの光信号が検出され、かつ、ＯＬＴとのリンクが切断されていることが検出された場合に、光信号を送信または停止させ、ＯＬＴとのリンク状態を検出することにより、自機が誤発光しているかを判定する発光停止判定回路１６とを備え、ＯＬＴは、ＯＮＵとのリンク状態を検出するＰＯＮ制御回路６と、誤発光しているＯＮＵが光信号の送信を停止した際に、ＯＬＴ側のＰＯＮ制御回路によって他のＯＮＵとのリンクの回復が検出されることにより、誤発光しているＯＮＵを特定する誤発光ＯＮＵ特定部１１とを備える。【選択図】図３
2011055264.tif 000002
【特許請求の範囲】
【請求項１】
光分岐装置を介してＯＬＴ（Optical Line Terminal）に複数のＯＮＵ（Optical Network Unit）が接続されているＰＯＮ（Passive Optical Network）システムにおいて、
前記ＯＮＵは、
前記ＯＬＴと光信号の送受信を行い、前記ＯＬＴからの光信号を検出する光送受信器と、
前記ＯＬＴとのリンク状態を検出するＰＯＮ制御回路と、
前記光送受信器により前記ＯＬＴからの光信号が検出され、かつ、前記ＰＯＮ制御回路により前記ＯＬＴとのリンクが切断されていることが検出された場合に、光信号を送信または停止させ、前記ＰＯＮ制御回路により前記ＯＬＴとのリンク状態が検出されることにより、自機が誤発光しているかを判定する発光停止判定回路とを備え、
前記ＯＬＴは、
前記ＯＮＵとのリンク状態を検出するＰＯＮ制御回路と、
前記誤発光しているＯＮＵが光信号の送信を停止した際に、前記ＯＬＴ側のＰＯＮ制御回路により他のＯＮＵとのリンクの回復が検出されることにより、前記誤発光しているＯＮＵを特定する誤発光ＯＮＵ特定部とを備える
ことを特徴とするＰＯＮシステム。
【請求項２】
前記発光停止判定回路は、乱数を生成し、当該乱数に応じて光信号を送信または停止させる
ことを特徴とする請求項１記載のＰＯＮシステム。
【請求項３】
前記ＯＮＵは、
前記ＯＬＴに接続されている他のＯＮＵが前記光信号の送信を停止し、前記ＰＯＮ制御回路により前記ＯＬＴとのリンクの回復が検出された場合に、前記ＯＬＴとのリンクが回復したことを示すリンクアップ完了情報を記録するリンクアップ完了履歴部を備える
ことを特徴とする請求項１記載のＰＯＮシステム。
【請求項４】
前記発光停止判定回路は、前記光信号の送信を停止させる場合に、前記光信号を送信している全ての前記ＯＮＵが、一定時間内に前記ＯＬＴとのリンクが回復したか監視し、前記ＯＬＴとのリンクが回復した場合には、リンクアップ完了情報を前記リンクアップ完了履歴部に記録させる時間よりも長い時間、前記光信号の送信を停止させる
ことを特徴とする請求項３記載のＰＯＮシステム。
【請求項５】
前記ＯＬＴは、
前記ＯＬＴに接続されているＯＮＵの認証登録情報を記録する認証登録履歴部と、
前記認証登録履歴部に記録された前記ＯＮＵの電源がＯＦＦの場合に、当該ＯＮＵの電源がＯＦＦであることを示す電源断通知情報を記録する電源断通知履歴部と、
前記ＯＮＵの発光停止判定回路により、前記誤発光しているＯＮＵが光信号の送信を停止した際に、前記ＯＬＴ側のＰＯＮ制御回路により他のＯＮＵとのリンクの回復が検出された場合に、当該ＯＮＵとのリンクが回復したことを示すリンク回復情報を記録するリンク回復履歴部とを備え、
前記誤発光ＯＮＵ特定部は、前記認証登録履歴部に認証登録情報が存在し、かつ、前記電源断通知履歴部に電源断通知情報が存在しないＯＮＵの台数と、前記リンク回復履歴部にリンク回復情報が存在するＯＮＵの台数との差分が１台である場合に、前記電源断通知履歴部及び前記リンク回復履歴部に情報が存在しないＯＮＵを誤発光しているＯＮＵであると特定する
ことを特徴とする請求項１記載のＰＯＮシステム。
【請求項６】
前記ＯＬＴは、
前記誤発光ＯＮＵ特定部により前記誤発光しているＯＮＵが特定された場合に、前記ＯＬＴに接続されている全てのＯＮＵに対して、自機が誤発光しているかの判定を終了することを示す信号を送信する終了信号生成部を備える
ことを特徴とする請求項１記載のＰＯＮシステム。
【請求項７】
前記発光停止判定回路は、前記ＯＬＴから自機が誤発光しているかの判定を終了することを示す信号を受信した際に、前記リンクアップ完了履歴部にリンクアップ完了情報が記録されていない場合には、光信号の送信を停止させる
ことを特徴とする請求項３記載のＰＯＮシステム。
【請求項８】
前記発光停止判定回路は、前記光信号の送信を停止させる際に、前記光送受信器への電源を遮断する
ことを特徴とする請求項１または請求項７記載のＰＯＮシステム。
【請求項９】
光分岐装置を介してＯＬＴと接続するＯＮＵにおいて、
前記ＯＬＴと光信号の送受信を行い、前記ＯＬＴからの光信号を検出する光送受信器と、
前記ＯＬＴとのリンク状態を検出するＰＯＮ制御回路と、
前記光送受信器により前記ＯＬＴからの光信号が検出され、かつ、前記ＰＯＮ制御回路により前記ＯＬＴとのリンクが切断されていることが検出された場合に、光信号を送信または停止させ、前記ＰＯＮ制御回路により前記ＯＬＴとのリンク状態が検出されることにより、自機が誤発光しているかを判定する発光停止判定回路と
を備えることを特徴とするＯＮＵ。
【請求項１０】
前記発光停止判定回路は、乱数を生成し、当該乱数に応じて光信号を送信または停止させる
ことを特徴とする請求項９記載のＯＮＵ。
【請求項１１】
前記ＯＬＴに接続されている他のＯＮＵが前記光信号の送信を停止し、前記ＰＯＮ制御回路により前記ＯＬＴとのリンクの回復が検出された場合に、前記ＯＬＴとのリンクが回復したことを示すリンクアップ完了情報を記録するリンクアップ完了履歴部を備える
ことを特徴とする請求項９記載のＯＮＵ。
【請求項１２】
前記発光停止判定回路は、前記光信号の送信を停止させる場合に、前記光信号を送信している全ての前記ＯＮＵが、一定時間内に前記ＯＬＴとのリンクが回復したか監視し、前記ＯＬＴとのリンクが回復した場合には、リンクアップ完了情報を前記リンクアップ完了履歴部に記録させる時間よりも長い時間、前記光信号の送信を停止させる
ことを特徴とする請求項１１記載のＯＮＵ。
【請求項１３】
前記発光停止判定回路は、前記ＯＬＴから自機が誤発光しているかの判定を終了することを示す信号を受信した際に、前記リンクアップ完了履歴部にリンクアップ完了情報が記録されていない場合には、光信号の送信を停止させる
ことを特徴とする請求項１１記載のＯＮＵ。
【請求項１４】
前記発光停止判定回路は、前記光信号の送信を停止させる際に、前記光送受信器への電源を遮断する
ことを特徴とする請求項９または請求項１３記載のＯＮＵ。
【請求項１５】
光分岐装置を介して複数のＯＮＵが接続されているＯＬＴにおいて、
前記ＯＮＵとのリンク状態を検出するＰＯＮ制御回路と、
誤発光しているＯＮＵが光信号の送信を停止した際に、前記ＰＯＮ制御回路により他のＯＮＵとのリンクの回復が検出されることにより、前記誤発光しているＯＮＵを特定する誤発光ＯＮＵ特定部と
を備えることを特徴とするＯＬＴ。
【請求項１６】
前記ＯＬＴに接続されているＯＮＵの認証登録情報を記録する認証登録履歴部と、
前記認証登録履歴部に記録された前記ＯＮＵの電源がＯＦＦの場合に、当該ＯＮＵの電源がＯＦＦであることを示す電源断通知情報を記録する電源断通知履歴部と、
前記ＯＮＵにより、前記誤発光しているＯＮＵが光信号の送信を停止した際に、前記ＰＯＮ制御回路により他のＯＮＵとのリンクの回復が検出された場合に、当該ＯＮＵとのリンクが回復したことを示すリンク回復情報を記録するリンク回復履歴部とを備え、
前記誤発光ＯＮＵ特定部は、前記認証登録履歴部に認証登録情報が存在し、かつ、前記電源断通知履歴部に電源断通知情報が存在しないＯＮＵの台数と、前記リンク回復履歴部にリンク回復情報が存在するＯＮＵの台数との差分が１台である場合に、前記電源断通知履歴部及び前記リンク回復履歴部に情報が存在しないＯＮＵを誤発光しているＯＮＵであると特定する
ことを特徴とする請求項１５記載のＯＬＴ。
【請求項１７】
前記誤発光ＯＮＵ特定部により前記誤発光しているＯＮＵが特定された場合に、前記ＯＬＴに接続されている全てのＯＮＵに対して、誤発光しているかの判定を終了することを示す信号を送信する終了信号生成部を備える
ことを特徴とする請求項１５記載のＯＬＴ。
【発明の詳細な説明】
【技術分野】
【０００１】
この発明は、光分岐装置を介して通信を行う局内装置であるＯＬＴ（Optical Line Terminal）、ＯＬＴに接続される複数の終端装置であるＯＮＵ（Optical Network Unit）及びＯＬＴ及びＯＮＵにより構成されるＰＯＮ（Passive Optical Network）システムに関するものである。
【背景技術】
【０００２】
ＦＴＴＨ（Fiber To The Home）等の光アクセスサービスをユーザに提供する手法の一つとしてＰＯＮシステムがある。このＰＯＮシステムでは、複数のＯＮＵがＯＬＴ及び伝送路(光ファイバ)を共有する形態をとることで、光ファイバを用いた高速アクセスサービスを安価で提供することが可能となる。
【０００３】
このＰＯＮシステムにおいて、ＯＮＵはＯＬＴが許可した送信タイミングに従い、ＯＬＴに向けて光信号を送信する。ここで、ＰＯＮシステムでは、ＯＬＴからＯＮＵに向けた下り信号の伝送にはＴＤＭ(時分割多重)を用い、ＯＮＵからＯＬＴに向けた上り信号の伝送にはＴＤＭＡ(時分割多重アクセス)を用いている。すなわち、ＯＬＴは接続されている複数のＯＮＵの光信号が互いに重複しない送信タイミングを各ＯＮＵの上り信号用に動的に割り当てている。
【０００４】
しかしながら、ＯＬＴが割り当てた送信タイミング以外のタイミングでＯＮＵが発光する誤発光が発生する場合がある。この誤発光の発生原因としては、ＯＮＵの光源あるいは光源の駆動回路の故障等が挙げられる。誤発光が発生した場合、複数のＯＮＵの光信号が重複することで、ＯＮＵからＯＬＴに送信されたデータが破壊され、誤発光しているＯＮＵと同一ＰＯＮシステムに存在する他のＯＮＵが通信不能となる。
【０００５】
ここで、ＯＮＵの管理は、ユーザではなく、局側の運用管理者が実施するのが通常の運用形態であるため、あるＯＮＵに誤発光が発生した場合、局側の運用管理者がこのＯＮＵの誤発光を検出し、誤発光しているＯＮＵを特定することが要求される。しかしながら、誤発光が発生した場合、複数のＯＮＵからＯＬＴに向けた上り信号が重複するため、ＯＬＴは受信した光信号の送信元を識別することができず、誤発光しているＯＮＵを特定するのは非常に困難である。
【０００６】
これに対して、誤発光しているＯＮＵを特定し、ＰＯＮシステムから切り離すことで、誤発光しているＯＮＵ以外のＯＮＵとのリンクを回復させ、システム全体を安定させるように構成したものがある（例えば、特許文献１参照）。
【０００７】
この特許文献１に開示されたＰＯＮシステムでは、ＯＬＴが複数のＯＮＵから１台ずつ指定し、ＯＮＵの発光を停止する信号を順次送信する。ＯＬＴから発光停止信号を受け取ったＯＮＵは自身の発光を停止させる。ここで、誤発光しているＯＮＵが消光した場合、発光を停止したＯＮＵ以外のＯＮＵのリンクが回復するため、誤発光しているＯＮＵを特定することが可能となる。
【先行技術文献】
【特許文献】
【０００８】
【特許文献１】特開２００４−１１２７４６号公報
【発明の概要】
【発明が解決しようとする課題】
【０００９】
しかしながら、特許文献１に開示されたＰＯＮシステムでは、定期的にレスポンスを返さないＯＮＵの端末ＩＤはＯＬＴ上で削除されてしまうため、ＯＬＴから端末ＩＤを指定して発光停止信号を順次送信する処理を実現することができないという課題がある。
【００１０】
この発明は、上記のような課題を解決するためになされたもので、ＯＮＵに誤発光が発生した場合に、この誤発光しているＯＮＵを特定することができ、誤発光しているＯＮＵと同一ＰＯＮシステムに存在する他のＯＮＵがＯＬＴとのリンクを速やかに回復することができるＯＬＴ、ＯＮＵ及びＰＯＮシステムを提供することを目的としている。
【課題を解決するための手段】
【００１１】
この発明に係るＰＯＮシステムは、光分岐装置を介してＯＬＴに複数のＯＮＵが接続されているＰＯＮシステムにおいて、ＯＮＵは、ＯＬＴと光信号の送受信を行い、ＯＬＴからの光信号を検出する光送受信器と、ＯＬＴとのリンク状態を検出するＰＯＮ制御回路と、光送受信器によりＯＬＴからの光信号が検出され、かつ、ＰＯＮ制御回路によりＯＬＴとのリンクが切断されていることが検出された場合に、光信号を送信または停止させ、ＰＯＮ制御回路によりＯＬＴとのリンク状態を検出することにより、自機が誤発光しているかを判定する発光停止判定回路とを備え、ＯＬＴは、ＯＮＵとのリンク状態を検出するＰＯＮ制御回路と、誤発光しているＯＮＵが光信号の送信を停止した際に、ＯＬＴ側のＰＯＮ制御回路によって他のＯＮＵとのリンクの回復が検出されることにより、誤発光しているＯＮＵを特定する誤発光ＯＮＵ特定部とを備えるものである。
【発明の効果】
【００１２】
この発明によれば、上記のように構成したので、ＯＮＵは、ＯＬＴからの光信号を受信し、かつ、ＯＬＴとのリンクが切断されていることを検出した場合に、自律的に光信号の送信を順次停止することで、誤発光しているＯＮＵであるか否かを判定することができる。また、ＯＬＴとのリンクが切断された場合に、早期にリンクを回復することができるため、ＰＯＮシステムの信頼性を向上させることができる。
【図面の簡単な説明】
【００１３】
【図１】この発明の実施の形態１に係るＰＯＮシステムの構成を示す図である。
【図２】この発明の実施の形態１に係るＯＬＴの構成を示す図である。
【図３】この発明の実施の形態１に係るＯＮＵの構成を示す図である。
【図４】この発明の実施の形態１に係るＰＯＮシステムにおいて誤発光が発生した場合を示すタイミングチャートである。
【図５】この発明の実施の形態１に係るＯＮＵの動作を示すフローチャートである。
【図６】この発明の実施の形態２に係るＯＮＵの構成を示す図である。
【発明を実施するための形態】
【００１４】
以下、この発明の実施の形態について図面を参照しながら詳細に説明する。
実施の形態１．
図１はこの発明の実施の形態１に係るＰＯＮシステムの構成を示す図である。
ＰＯＮシステムは、図１に示すように、上位ネットワークに接続される、運用管理者側の局内装置であるＯＬＴ１と、各ユーザ端末装置（ＵＮＩ：User Network Interface）に接続される、ユーザ側の終端装置である複数のＯＮＵ２と、ＯＬＴ１と複数のＯＮＵ２とを光カプラ（光分岐装置）３を介して接続する光ファイバケーブル４とにより構成される。
【００１５】
図２はこの発明の実施の形態１に係るＯＬＴ１の構成を示す図である。
ＯＬＴ１は、図２に示すように、ネットワークインタフェース回路５、ＰＯＮ制御回路６、光送受信器７、認証登録履歴部８、電源断通知履歴部９、リンク回復履歴部１０、誤発光ＯＮＵ特定部１１及び終了信号生成部１２から構成される。
【００１６】
ネットワークインタフェース回路５は、ＯＬＴ１に接続されている上位ネットワークから受信したデータ信号をＰＯＮ制御回路６に送信し、また、ＰＯＮ制御回路６から受信したデータ信号をネットワークインタフェース互換のデータ信号に変換して上位ネットワークに送信するものである。
【００１７】
ＰＯＮ制御回路６は、ネットワークインタフェース回路５から受信したデータ信号を光送受信器７に送信し、また、光送受信器７から受信した上り信号のＯＡＭ（Operation Administration and Maintenance）データを終端させ、データ信号をネットワークインタフェース回路５に送信するものである。また、ＰＯＮ制御回路６では、ＯＬＴ１に接続されている複数のＯＮＵ２とのリンク状態を常に検出しており、各ＯＮＵ２の端末ＩＤ、送信タイミング及び送信帯域を含むデータ送信許可情報を光送受信器７を介してＯＮＵ２に送信している。
【００１８】
また、このＰＯＮ制御回路６は、ＯＬＴ１に接続されているＯＮＵ２からの認証登録の要求に基づいて、このＯＮＵ２の認証登録を行った際に、このＯＮＵ２を認証登録したことを示す認証登録情報を認証登録履歴部８に記録させる。
【００１９】
また、ＰＯＮ制御回路６は、認証登録履歴部８に記録されているＯＮＵ２の電源がＯＦＦになった際にこのＯＮＵ２から送信される、電源をＯＦＦにしたことを示す電源断通知情報を受信した場合に、この電源断通知情報を電源断通知履歴部９に記録させる。
【００２０】
また、ＰＯＮ制御回路６は、認証登録履歴部８に記録されているＯＮＵ２とのリンクが切断された場合に、後述する、ＯＮＵ２の発光停止判定回路１６による誤発光検出処理により、誤発光しているＯＮＵ２が光信号の送信を停止した際に、他のＯＮＵ２とのリンクの回復を検出した場合に、このＯＮＵ２とのリンクが回復したことを示すリンク回復情報をリンク回復履歴部１０に記録させる。
【００２１】
光送受信器７は、光カプラ３及び光ファイバケーブル４を介してＯＮＵ２から受信した上り信号を光信号から電気信号に変換してＰＯＮ制御回路６に送信し、また、ＰＯＮ制御回路６から受信した下り信号を電気信号から光信号に変換して光カプラ３及び光ファイバケーブル４を介してＯＮＵ２に送信するものである。
【００２２】
認証登録履歴部８は、ＰＯＮ制御回路６による指示に基づいて、ＯＬＴ１に接続されているＯＮＵ２を認証登録したことを示す認証登録情報を記録するものである。
電源断通知履歴部９は、ＰＯＮ制御回路６による指示に基づいて、ＯＮＵ２の電源がＯＦＦであることを示す電源断通知情報を記録するものである。なお、ＯＮＵ２の電源がＯＮになり、このＯＮＵ２とのリンクが接続された場合には、電源断通知履歴部９に記録されている、このＯＮＵ２に対する電源断通知情報は削除される。
リンク回復履歴部１０は、ＰＯＮ制御回路６による指示に基づいて、ＯＮＵ２とのリンクが回復したことを示すリンク回復情報を記録するものである。
【００２３】
誤発光ＯＮＵ特定部１１は、後述する、ＯＮＵ２の発光停止判定回路１６による誤発光検出処理誤発光によって、誤発光しているＯＮＵ２が光信号の送信を停止した際に、ＰＯＮ制御回路６によって他のＯＮＵ２とのリンクの回復が検出されることにより、誤発光しているＯＮＵ２を特定するものである。
この誤発光ＯＮＵ特定部１１は、認証登録履歴部８に認証登録情報が存在し、かつ、電源断通知履歴部９に電源断通知情報が存在しないＯＮＵの台数と、リンク回復履歴部１０にリンク回復情報が存在するＯＮＵの台数との差分が１台である場合に、電源断通知履歴部９及びリンク回復履歴部１０に情報が存在しないＯＮＵ２を誤発光しているＯＮＵ２であると特定し、誤発光しているＯＮＵ２の特定が完了したことを示す誤発光検出完了信号を、終了信号生成部１２に送信する。
【００２４】
また、誤発光ＯＮＵ特定部１１は、認証登録履歴部８に認証登録情報が存在し、かつ、電源断通知履歴部９に電源断通知情報が存在しない全てのＯＮＵ２とのリンクが回復した場合には、リンク回復履歴部１０を初期化させる。
【００２５】
終了信号生成部１２は、誤発光ＯＮＵ特定部１１から送信された誤発光検出完了信号に基づいて、後述する、ＯＮＵ２の発光停止判定回路１６による誤発光検出処理を終了するための誤発光検出処理強制終了フラグを有効にすることを示す誤発光検出処理強制終了信号を生成し、ＰＯＮ制御回路６及び光送受信器７を介して、ＯＬＴ１に接続されている全てのＯＮＵ２に送信するものである。
【００２６】
図３はこの発明の実施の形態１に係るＯＮＵ２の構成を示す図である。
ＯＮＵ２は、図３に示すように、光送受信器１３、ＰＯＮ制御回路１４、ユーザインタフェース回路１５、発光停止判定回路１６、電源変換回路１７、リンクアップ完了履歴部１８及び監視タイマ１９から構成される。
【００２７】
光送受信器１３は、光カプラ３及び光ファイバケーブル４を介してＯＬＴ１から受信した下り信号を光信号から電気信号に変換してＰＯＮ制御回路１４に送信し、また、ＰＯＮ制御回路１４から受信した上り信号を電気信号から光信号に変換して光カプラ３及び光ファイバケーブル４を介してＯＬＴ１に送信するものである。
また、光送受信器１３は、ＯＬＴ１から下り信号である光信号を検出した場合に、発光停止判定回路１６に光信号を検出したことを示す光入力検出信号を送信する。
【００２８】
ＰＯＮ制御回路１４は、光送受信器１３から受信した下り信号のＯＡＭデータを終端させ、データ信号をユーザインタフェース回路１５に送信し、また、ユーザインタフェース回路１５から受信したデータ信号を、ＯＬＴ１から送信された送信タイミングに従って、光送受信器１３に送信するものである。このＰＯＮ制御回路１４は、ＯＬＴ１から送信される下り信号のうち、自機に対応した下り信号のみを選択するために必要な端末ＩＤ、上り信号の送信タイミング及び送信帯域を含むデータ送信許可情報を受信するために、ＯＬＴ１と定期的にデータの交換を行う。
また、ＰＯＮ制御回路１４は、自機とＯＬＴ１とのリンク状態を常に検出しており、ＯＬＴ１とのリンクが切断されていることを検出した場合には、発光停止判定回路１６にリンク断状態であることを示すリンク断検出信号を送信する。
【００２９】
ユーザインタフェース回路１５は、自機に接続されているユーザ端末装置から受信したデータ信号をＰＯＮ制御回路１４に送信し、また、ＰＯＮ制御回路１４から受信したデータ信号をユーザインタフェース互換のデータ信号に変換してユーザ端末装置に送信するものである。
【００３０】
発光停止判定回路１６は、光送受信器１３によりＯＬＴ１からの光信号が検出され、かつ、ＰＯＮ制御回路１４によりＯＬＴ１とのリンクが切断されていることが検出された場合に、光信号を送信または停止させ、ＰＯＮ制御回路１４によりＯＬＴ１とのリンク状態を検出することにより、自機が誤発光しているかを判定する誤発光検出処理を行うものである。
この発光停止判定回路１６は、誤発光検出処理において、後述する、リンクアップ完了履歴部１８に記録されているリンクアップ完了情報の有無及び保持する誤発光検出処理強制終了フラグの有効・無効状態に基づいて、監視タイマ１９を起動させる。監視タイマ１９を起動した後、発光停止判定回路１６は、乱数を生成し、生成された乱数に応じて光信号を送信または停止させるかを判定する。ここで、発光停止判定回路１６は、生成した乱数が奇数であった場合には光送受信器１３に光信号の送信を停止させるための光出力停止信号を送信し、生成された乱数が偶数であった場合には光信号を送信する。
【００３１】
また、発光停止判定回路１６は、監視タイマ１９が起動している間に、ＯＬＴ１に接続されている他のＯＮＵ２が光信号の送信を停止することで、ＰＯＮ制御回路１４によりＯＬＴ１とのリンクの回復が検出された場合には、ＯＬＴ１とのリンクアップを行い、ＯＬＴ１とのリンクが回復したことを示すリンクアップ完了情報をリンクアップ完了履歴部１８に記録させる。
また、発光停止判定回路１６は、光信号の送信を停止した後、監視タイマ１９がタイムアウトした際には、光送受信器１３への光出力停止信号の送信を停止する。
【００３２】
さらに、発光停止判定回路１６は、ＯＬＴ１の終了信号生成部１２から送信された誤発光検出処理強制終了信号を受信した際に、リンクアップ完了履歴部１８にリンクアップ完了情報が記録されていない場合には、光出力停止信号を光送受信器１３に送信して光信号の送信を停止させる。
【００３３】
電源変換回路１７は、不図示の電源からＯＮＵ２内の各部が必要とする電流を光送受信器１３を介して供給するものである。
リンクアップ完了履歴部１８は、発光停止判定回路１６による指示に基づいて、ＯＬＴ１とのリンクが回復したことを示すリンクアップ完了情報を記録するものである。
監視タイマ１９は、発光停止判定回路１６による指示に基づいて、起動するタイマである。
【００３４】
図４はこの発明の実施の形態１に係るＰＯＮシステムにおいて誤発光が発生した場合を示すタイミングチャートである。
図４では、１台のＯＬＴ１に対して３台のＯＮＵ２（ＯＮＵ（Ａ）、ＯＮＵ（Ｂ）、ＯＮＵ（Ｃ））が接続され、各ＯＮＵ２がＯＬＴ１により許可された送信タイミングに従って上り信号である光信号をＯＬＴ１に送信している状態において、ＯＮＵ（Ａ）に誤発光が発生した場合について示している。
図４に示すように、同一ＰＯＮシステム上に誤発光しているＯＮＵ（Ａ）が存在する場合、ＯＮＵ（Ｂ）による光信号Ｂ２及びＯＮＵ（Ｃ）による光信号Ｃ１がＯＮＵ（Ａ）による誤発光信号Ａ３と伝送経路上で衝突するため、ＯＬＴ１との双方向リンクを確立するために必要なデータが破壊され、ＯＮＵ（Ｂ）とＯＬＴ１とのリンク及びＯＮＵ（Ｃ）とＯＬＴ１とのリンクを確立することができなくなる。
【００３５】
次に、上記のように構成されたＰＯＮシステムにおいて、図４に示すように、同一ＰＯＮシステム上に誤発光しているＯＮＵ２が存在する場合に、この誤発光しているＯＮＵ２を特定するためのＯＬＴ１及びＯＮＵ２による誤発光検出処理について説明する。
図５はこの発明の実施の形態１に係るＯＮＵ２の誤発光検出処理を示すフローチャートである。
【００３６】
まず、ＯＬＴ１による誤発光検出処理では、誤発光ＯＮＵ特定部１１は、認証登録履歴部８に認証登録情報が存在し、かつ、電源断通知履歴部９に電源断通知情報が存在しないＯＮＵの台数と、リンク回復履歴部１０にリンク回復情報が存在するＯＮＵの台数との差分が１台である場合に、電源断通知履歴部９及びリンク回復履歴部１０に情報が存在しないＯＮＵ２を誤発光しているＯＮＵ２であると特定する。この誤発光ＯＮＵ特定部１１による、誤発光しているＯＮＵ２の特定が完了したことを示す誤発光検出完了信号は終了信号生成部１２に送信される。
【００３７】
次いで、誤発光ＯＮＵ特定部１１から誤発光検出完了信号を受信した終了信号生成部１２は、誤発光検出処理強制終了フラグを有効にすることを示す誤発光検出処理強制終了信号を生成する。この終了信号生成部１２により生成された誤発光検出処理強制終了信号は、ＰＯＮ制御回路６及び光送受信器７を介して、ＯＬＴ１に接続されている全てのＯＮＵ２に送信される。
【００３８】
また、誤発光ＯＮＵ特定部１１は、認証登録履歴部８に認証登録情報が存在し、かつ、電源断通知履歴部９に電源断通知情報が存在しない全てのＯＮＵ２とのリンクが回復した場合には、リンク回復履歴部１０を初期化させる。
【００３９】
一方、ＯＮＵ２による誤発光検出処理では、まず初期化処理として、発光停止判定回路１６が保持する誤発光検出処理強制終了フラグを無効に設定し、リンクアップ完了履歴部１８を初期化する。
次いで、図５に示すように、発光停止判定回路１６は光入力検出信号及びリンク断検出信号を受信したかを判定する（ステップＳＴ５１）。すなわち、発光停止判定回路１６は、光送受信器１３によりＯＬＴ１からの光信号を検出したことを示す光入力検出信号を受信し、かつ、ＰＯＮ制御回路１４によりＯＬＴ１とのリンクが切断されていることを示すリンク断検出信号を受信したか否かを判定する。
【００４０】
このステップＳＴ５１において、発光停止判定回路１６が光入力検出信号及びリンク断検出信号を受信していないと判定した場合には、シーケンスはステップＳＴ５１に戻り、光入力検出信号及びリンク断検出信号の受信待ち状態となる。
【００４１】
一方、ステップＳＴ５１において、発光停止判定回路１６は、光入力検出信号及びリンク断検出信号を受信したと判定した場合には、次いで、リンクアップ完了情報が記録されているかを判定する（ステップＳＴ５２）。すなわち、発光停止判定回路１６は、リンクアップ完了履歴部１８にリンクアップ完了情報が記録されているか否かを判定する。
【００４２】
このステップＳＴ５２において、発光停止判定回路１６は、リンクアップ完了履歴部１８にリンクアップ完了情報は記録されていないと判定した場合には、次いで、誤発光検出処理強制終了フラグが有効であるかを判定する（ステップＳＴ５３）。すなわち、発光停止判定回路１６は、保持する誤発光検出処理を終了することを示す誤発光検出処理強制終了フラグが有効に設定されているか否かを判定する。
【００４３】
このステップＳＴ５３において、発光停止判定回路１６は、誤発光検出処理強制終了フラグが無効に設定されていると判定した場合には、次いで、監視タイマ１９を起動する（ステップＳＴ５４）。なお、監視タイマ１９は、後述するステップＳＴ６０〜ＳＴ６３において、光信号を送信している全てのＯＮＵ２が、一定時間内にＯＬＴ１とのリンクが回復したか検出し、ＯＬＴ１とのリンクが回復した場合には、ＯＬＴ１とのリンクアップを行い、リンクアップ完了情報をリンクアップ完了履歴部１８に記録させるまでの処理を完了する時間を保証するため、（１台のＯＮＵ２がリンクアップを行うのに要する時間）×（ＯＬＴ１に接続しているＯＮＵ２の台数）分でタイムアウトするように設定されている。
【００４４】
次いで、発光停止判定回路１６は乱数を生成する（ステップＳＴ５５）。
次いで、発光停止判定回路１６は生成した乱数が奇数であるかを判定する（ステップＳＴ５６）。
このステップＳＴ５６において、発光停止判定回路１６は、生成した乱数が奇数であると判定した場合には、次いで、光出力を停止する（ステップＳＴ５７）。すなわち、発光停止判定回路１６は、光信号の送信を停止することを示す光出力停止信号を光送受信器１３に送信する。この光出力停止信号を受信した光送受信器１３は、ＯＬＴ１への光信号の送信を停止する。
【００４５】
次いで、発光停止判定回路１６は、監視タイマ１９がタイムアウトしたかを判定する（ステップＳＴ５８）。
このステップＳＴ５８において、発光停止判定回路１６は、監視タイマ１９がタイムアウトしていないと判定した場合には、シーケンスはステップＳＴ５７に戻り、光出力停止処理を継続する。
一方、ステップＳＴ５８において、発光停止判定回路１６は、監視タイマ１９がタイムアウトしたと判定した場合には、次いで、光出力停止を解除する（ステップＳＴ５９）。すなわち、発光停止判定回路１６は、光出力停止信号の送信を停止し、光送受信器１３による光信号の送信の停止を解除する。その後、シーケンスは、ステップＳＴ５２に戻り、上述した処理を繰り返す。
【００４６】
一方、ステップＳＴ５６において、発光停止判定回路１６は、生成した乱数が偶数であると判定した場合には、次いで、ＯＬＴ１とのリンクが回復したかを判定する（ステップＳＴ６０）。すなわち、発光停止判定回路１６は、予め設定された一定時間内に、ＰＯＮ制御回路１４によりＯＬＴ１とのリンクの回復が検出されたか否かを判定する。
このステップＳＴ６０において、発光停止判定回路１６が予め設定された一定時間経過後もリンクが切断されていると判定した場合には、監視タイマ１９のタイムアウトを確認した後（ステップＳＴ６１）、シーケンスはステップＳＴ５２に戻り上述した処理を繰り返す。
【００４７】
一方、ステップＳＴ６０において、発光停止判定回路１６は、ＯＬＴ１とのリンクが回復したと判定した場合には、次いで、リンクアップを行う（ステップＳＴ６２）。すなわち、発光停止判定回路１６は、ＯＬＴ１から送信されるデータ送信許可情報に含まれる送信タイミング及び送信帯域に従い、応答信号（Register ACK）をＯＬＴ１に送信することによりリンクアップを行う。
【００４８】
次いで、発光停止判定回路１６は、ＯＬＴ１とのリンクが回復され、リンクアップが完了したことを示すリンクアップ完了情報をリンクアップ完了履歴部１８に記録させる（ステップＳＴ６３）。その後、シーケンスはステップＳＴ６１，ＳＴ５２に進む。このステップＳＴ５２において、発光停止判定回路１６は、リンクアップ完了履歴部１８にリンクアップ完了情報が記録されていると判定し、シーケンスを終了する。
【００４９】
一方、ステップＳＴ５３において、発光停止判定回路１６は、誤発光検出処理強制終了フラグが有効に設定されていると判定した場合には、次いで、光出力を停止する（ステップＳＴ６４）。すなわち、発光停止判定回路１６は、光送受信器１３に光出力停止信号を送信することによって自機の光信号の送信を停止させる。その後、シーケンスは終了する。
【００５０】
ここで、ＯＬＴにＮ台のＯＮＵが接続されたＰＯＮシステムにおいて、誤発光しているＯＮＵを特定する場合に、特許文献１に開示された従来のＰＯＮシステムではＯＮＵの光信号の送信を最大Ｎ回停止させる必要があったが、この発明の実施の形態１に係るＰＯＮシステムではＯＮＵ２の光信号の送信を最大（〔ｌｏｇ2（Ｎ−１）〕＋１）回停止させることで誤発光しているＯＮＵ２を特定することが可能となる。
【００５１】
以上のように、この発明の実施の形態１によれば、ＯＮＵ２がＯＬＴ１からの光信号を受信し、かつ、ＯＬＴ１とのリンクが切断されていることを検出した場合に、自律的に光信号の送信を順次停止するように構成したので、ＯＮＵ２およびＯＬＴ１において誤発光しているＯＮＵ２を特定することができる。また、誤発光しているＯＮＵ２の光信号の送信を停止させることで、早期にＯＬＴ１と正常に動作しているＯＮＵ２とのリンクを回復させることが可能となるため、ＰＯＮシステムの信頼性が向上する。
また、ＯＬＴ１ではＯＮＵ２の誤発光が発生した際に行われる誤発光検出処理において、誤発光しているＯＮＵ２が光信号の送信を停止した際に、他のＯＮＵ２とのリンクが回復したことを示すリンク回復履歴を保持しており、運用管理者は不図示のＣＬＩ（Command Line Interface）から確認可能であるため、速やかに誤発光しているＯＮＵ２の修理又は交換を行うことができる。
【００５２】
実施の形態２．
図６はこの発明の実施の形態２に係るＯＮＵ２を示す構成図である。
この発明の実施の形態１では、ＯＮＵ２の光信号の送信を停止させる際に、発光停止判定回路１６が光送受信器１３に光出力停止信号を送信することによって光信号の送信を停止させるように構成したが、この発明の実施の形態２は、光信号の送信を停止させる際に、発光停止判定回路１６により光送受信器１３への電源を遮断させるように構成したものである。
図６に示す実施の形態２に係るＯＮＵ２の構成は、図３に示す実施の形態１に係るＯＮＵ２の構成に開閉機器２０を追加したものであり、その他の構成は同様であり、同一の符号を付し、その説明を省略する。
【００５３】
開閉機器２０は、光送受信器１３と電源変換回路１７とを接続する電源線に直列に挿入されるものであり、例えばスイッチ、リレー、ヒューズ等により構成される。この開閉機器２０は、発光停止判定回路１６から光信号の送信を停止する際に送信される、電源を遮断させるための電源遮断信号を受信した場合に、光送受信器１３と電源変換回路１７との接続を遮断することにより、電源変換回路１７から光送受信器１３への電源を遮断する。
【００５４】
以上のように、この発明の実施の形態２によれば、光信号の送信を停止する際に、開閉機器２０によって光送受信器１３への電源を遮断するように構成したので、実施の形態１における効果に加えて、光送受信器１３の送信回路が故障している場合でも光信号の送信を停止することができる。
【符号の説明】
【００５５】
１  ＯＬＴ、２  ＯＮＵ、３  光カプラ（光分岐装置）、４  光ファイバケーブル、５  ネットワークインタフェース回路、６  ＰＯＮ制御回路、７  光送受信器、８  認証登録履歴部、９  電源断通知履歴部、１０  リンク回復履歴部、１１  誤発光ＯＮＵ特定部、１２  終了信号生成部、１３  光送受信器、１４  ＰＯＮ制御回路、１５  ユーザインタフェース回路、１６  発光停止判定回路、１７  電源変換回路、１８  リンクアップ完了履歴部、１９  監視タイマ、２０  開閉機器。
【図１】
2011055264.tif 000003
【図２】
2011055264.tif 000004
【図３】
2011055264.tif 000005
【図４】
2011055264.tif 000006
【図５】
2011055264.tif 000007
【図６】
2011055264.tif 000008